(57)【特許請求の範囲】
【請求項１】
略水平に設けられた回転軸により入賞案内部材５を取付板に起立傾倒自在に支持し、該入賞案内部材が傾倒したときに遊技球が該入賞案内部材上に捕捉され入賞するようにしたパチンコ機の遊技球入賞装置において、該取付板の裏側にて制動片を所定の関係位置に相対させることで該入賞案内部材を起立状態にロックするロック機構を設け、前記取付板にピンを挿入し得る小孔が設けられた筒状の前方突出部を形成し、且つ該前方突出部は該小孔の開口端と前面ガラス板の内面との間隔が該小孔の内径よりも小さい至近距離となるように形成することで前面ガラス板を開けたときだけ該小孔にピンを挿入し得るようにし、該小孔から挿入したピンの先端と相対するように前記制動片にカム部を形成し、該カム部が該ピンによって押されることによりロック状態を解除し得るようにしたことを特徴とするパチンコ機の遊技球入賞装置。
【請求項２】
入賞案内部材は取付板に開設された横長の大入賞口の下縁部に起立傾倒自在に支持された横長蓋板状のものである請求項１に記載のパチンコ機の遊技球入賞装置。
【発明の詳細な説明】
【０００１】
【発明の属する技術分野】
本発明は、パチンコ機の遊技盤面上にて入賞案内部材が開閉動することで遊技球を捕捉する遊技球入賞装置の構造に関するものである。
【０００２】
【従来の技術】
パチンコ機の遊技球入賞装置には従来から種々の形態が知られているが、大入賞口はいわゆる大当たり時にソレノイドを作動させることによって横長板状の蓋（入賞案内部材）を開成させるように構成されたものである。
【０００３】
ところで、従来の上記大入賞口の構造では、入賞案内部材は、例えば針金のようなものをガラス枠内に差し込んで入賞案内部材を無理にこじ開けようとすると開いてしまうので、遊技球を不正に入賞させ賞球を得ようとする不正行為が行われることがあった。
【０００４】
【発明が解決しようとする課題】
本発明者等は、上記のような不正行為が未然に防止されるように、制動片を所定の関係位置に相対させることで該入賞案内部材を起立状態にロックするロック機構を設けた遊技球入賞装置を先に発明し特許出願した。
【０００５】
ところが、このようにロック機構を設けた場合、店員が本来の必要に応じて正当に前面ガラス板を開けて入賞案内部材を開けようとしてもソレノイドが作動しない限り開かないために、店員による正当な行為まで行いにくくするという問題がある。そこで、ピンを挿入し得る小孔を開設し、ガラス枠を開けて所定のピンを該小孔に挿入することで入賞案内部材が開くように構成することが考えられたが、そうすると不正な遊技者がこの小孔に針金を挿入することでも入賞案内部材が開いてしまうおそれがあった。
【０００６】
そこで本発明は、ガラス枠を開けることなく不正な遊技者が針金等を使って入賞案内部材を開けるような不正行為を殆ど不可能にし、なおかつ、入賞案内部材の正当な開放行為までもが行いにくくなることのないようにするものである。
【０００７】
【課題を解決するための手段】
そのために本発明は、略水平に設けられた回転軸により入賞案内部材５を取付板に起立傾倒自在に支持し、該入賞案内部材が傾倒したときに遊技球が該入賞案内部材上に捕捉され入賞するようにしたパチンコ機の遊技球入賞装置において、該取付板の裏側にて制動片を所定の関係位置に相対させることで該入賞案内部材を起立状態にロックするロック機構を設け、前記取付板にピンを挿入し得る小孔が設けられた筒状の前方突出部を形成し、且つ該前方突出部は該小孔の開口端と前面ガラス板の内面との間隔が該小孔の内径よりも小さい至近距離となるように形成することで前面ガラス板を開けたときだけ該小孔にピンを挿入し得るようにし、該小孔から挿入したピンの先端と相対するように前記制動片にカム部を形成し、該カム部が該ピンによって押されることによりロック状態を解除し得るようにしたことを特徴とする。
また本発明は上記遊技球入賞装置において、入賞案内部材は取付板に開設された横長の大入賞口の下縁部に起立傾倒自在に支持された横長蓋板状のものであることを特徴とする。
【０００８】
【発明の実施の形態】
次に図面に従い本発明の実施の形態を説明する。図１は本発明に係る遊技球入賞装置１が遊技盤２に設けられたパチンコ機の正面図、図２はこの遊技球入賞装置１の外観斜視図、図３はその要部の斜視図、図４はこの遊技球入賞装置１の縦断面図である。図中、３は遊技盤２の前面に貼着される取付板、４は該取付板に開設された横長の大入賞口、５は該大入賞口の下縁部に回転軸６，６によって起立傾倒自在に支持された長方形蓋板状の入賞案内部材である。
【０００９】
該入賞案内部材５の背面下縁部両端には鍔部７ａ，７ｂが一体に形成され、その一方の鍔部７ａに横軸状の係合部８を一体的に形成している。
【００１０】
９はスピンドル１０が下側となるように鉛直に設けられたソレノイド、１１は該スピンドル１０の先端に固着され該ソレノイドの作動により前記回転軸６，６より上下に進退動するように設けられた制動片、１２は該スピンドル１０を下方に付勢する復帰用のコイルバネである。制動片１１はその前縁に一対の突起部１３，１４が略コ字状に形成され、該突起部１３，１４間に前記係合部８を臨ませている。なお上方の突起部１３は下方の突起部１４よりも少し短く形成されその先端面１３ａを制動片１１の進退動方向と略平行面なるように形成している。なお、１５，１５は取付板３の前面に形成された普通入賞口、１６は遊技盤２の前面に遊技球流下空間１７を形成するべく張設された前面ガラス板である。
【００１１】
しかして、下方の突起部１４の下辺は斜面状に切り欠くことによってカム部１８を形成している。２０は該カム部１８と相対するように取付板３に開設された小孔で、前面から該小孔２０に直線状のピン２１を挿入でき、該ピンの先端が該カム部１８に到達し得る。なお、該小孔２０の前縁に環状の延出部２２が形成されるとともに、該小孔２０の後縁に内方へ出張る延出部２３が形成され、該小孔に挿入したピン２１が該延出部２２および２３に規制されることで、該ピン２１は真直水平な姿態でのみ挿入し得るようにしている。
【００１２】
この遊技球入賞装置では、図４に示したように、ソレノイド９が消磁していてコイルバネ１２の弾性により制動片１１が下方にあるとき、上方の突起部１３の先端面１３ａが係合部８にその背後から相対することにより該係合部８の後方への旋回が阻止されることから、針金等を用いた不正手段により入賞案内部材５を開けようとしても該入賞案内部材は起立状態にてロックされ開けられない。そこで、ソレノイド９が励磁され制動片１１が上動すると下方の突起部１４にて係合部８が持ち上げられることから該入賞案内部材５が前傾し、図２に破断線で示したように遊技盤の遊技球流下空間に突出し遊技球を捕捉し得るようになる。また、ソレノイド９が消磁するとコイルバネ１２の弾性により制動片１１が下動することから上方の突起部１３によって係合部８が押し下げられ、図４に示した起立状態に復帰する。
【００１３】
そして、店員が「おまけ」等の正当な行為として入賞案内部材５を開けようとする場合には、所定の鍵を使ってガラス枠を開ければ、前面ガラス板１５が遠ざかって小孔２０の前方が開けるので、図５に示したように直線状のピン２１を挿入できるようになり、その先端で制動片１１のカム部１８を押すことにより、該制動片１１が持ち上げられ、図６に示したように入賞案内部材５を半開きにし、さらにこの半開き状態の入賞案内部材５に指（爪先）を掛けて前方に引くことにより、図７に示したように、該入賞案内部材５を開けることができる。
【００１４】
このように、この入賞装置では、ピン２１によってロック状態を解除する第１の動作と、入賞案内部材５に指を掛けて前方に引く第２の動作との２動作を経ることによって、初めて入賞案内部材を傾倒せられるようにしたので、ガラス枠を開けることなく不正の目的で針金を入賞案内部材５に引っ掛けたり、あるいは小孔２０に挿入したとしてもそれだけでは入賞案内部材５が開くことはなく、不正な開放行為が実際に殆ど不可能になる。
【００１５】
また、図８に示した本発明に実施形態は、小孔２０の前面に筒状の前方突出部２４を形成し、ガラス枠を閉じているときは、該小孔の開口端が前面ガラス板と至近距離となるようにしたもので、こうすることで、ガラス枠を開けることなく不正の目的で針金を該小孔２０に挿入しようとしてもその間隔が狭いために実際に挿入することは殆ど不可能になり、これによって不正をより完全に防止し得るようにしたものである。
【００１６】
また、図９〜図１１に示した実施形態は、制動片１１のカム部１８の下端にピン２１の先端が突き当たり得る衝止部２５を形成し、図１０に示したように、小孔２０に挿入したピン２１の先端が該衝止部２５に突き当たることで、該ピン２１をこれより深く挿入することができないようにし、この状態で入賞案内部材５が半開きとなって該入賞案内部材５に指を掛けて前方に引けば、図１１に示したように、該入賞案内部材５を開けることができるようにしたものである。
【００１７】
なお、以上例示したような本発明の実施形態は任意に組み合わせられ所期の目的に応じた装置を設計し得る。
【００１８】
また、この実施形態では制動片をソレノイドによって作動させるものについて説明したが、ソレノイドを使用する代わりに、他の入賞口に入賞した遊技球の球重量によって動かされる連桿により制動片が動くように構成してもよい。またこの実施形態では制動片が垂直に進退動する形態のものを説明したが、制動片は水平動、あるいは回転動するものであってもよく、また、制動片が２つ以上の伝動部材から構成されたものであってもよく、かつまた、その伝動部材は進退動、あるいは回転動するものであってよい。また、ロック機構についても制動片によるもののほか、ロック用部材を付加した構造であってもよい。また、カム部についてもこの実施形態では制動片の下辺に形成したがその形成位置は下辺に限らず側面でもよいとともに、上記複数の伝動部材のいずれかに設ければよい。
さらにこの実施形態は、大入賞口について説明したが、遊技盤面上で一対の入賞案内部材を旋回させることにより遊技球を誘導する全ての可変入賞装置（飛行機，あるいはチューリップと称されるようなもの）に適用することも可能である。
【００１９】
【発明の効果】
以上説明したように本発明は、取付板にピンを挿入し得る小孔が設けられた筒状の前方突出部を形成し、且つ該前方突出部は該小孔の開口端と前面ガラス板の内面との間隔が該小孔の内径よりも小さい至近距離となるように形成することで前面ガラス板を開けたときだけ該小孔にピンを挿入し得るようにしたので、針金等を使用しての不正な行為をより完全に防止し得るようにする有益な効果がある。
【図面の簡単な説明】
【図１】  本発明に係るパチンコ機の実施形態を示した正面図。
【図２】  本発明に係るパチンコ機の遊技球入賞装置の実施形態を示した外観斜視図。
【図３】  本発明に係るパチンコ機の遊技球入賞装置の実施形態を示した要部の斜視図。
【図４】  図２の遊技球入賞装置の縦断面図。
【図５】  図４の作動状態図。
【図６】  図４の作動状態図。
【図７】  図４の作動状態図。
【図８】  本発明に係るパチンコ機の遊技球入賞装置の他の実施形態を示した縦断面図。
【図９】  本発明に係るパチンコ機の遊技球入賞装置の他の実施形態を示した縦断面図。
【図１０】  図９の作動状態図。
【図１１】  図９の作動状態図。
【符号の説明】
１            遊技球入賞装置
２            遊技盤
３            取付板
４            大入賞口
５            入賞案内部材
６            回転軸
８            係合部
９            ソレノイド
１１          制動片
１６          前面ガラス板
１８          カム部
２０          小孔
２１          ピン
２２，２３    延出部
２４          前方突出部
２５          衝止部
【図１】
0004456719.tif 000002
【図２】
0004456719.tif 000003
【図３】
0004456719.tif 000004
【図４】
0004456719.tif 000005
【図５】
0004456719.tif 000006
【図６】
0004456719.tif 000007
【図７】
0004456719.tif 000008
【図８】
0004456719.tif 000009
【図９】
0004456719.tif 000010
【図１０】
0004456719.tif 000011
【図１１】
0004456719.tif 000012